(57)【要約】【課題】吸入側チェック弁が弁シートに着座時に発生する作動音の低減を図ること。【解決手段】吸入弁ケースに弁シートを介在しながらリテーナを挿入して一体化する。そして、弁シートにより画成の弁室内に吸入側チェック弁を配する。この吸入側チェック弁が着座する前記弁シートをゴム材にて製造する。【選択図】　　　　　　図３
2004052731.tif 000002
【特許請求の範囲】
【請求項１】
吸入弁ケースに弁シートを介在しながらリテーナを挿入して一体化し、前記弁シートにより画成の弁室内に吸入側チェック弁を配すると共に、前記弁シートをゴム材にて製造したことを特徴とするポンプの弁装置。
【請求項２】
前記シートのゴム材として、フッ素ゴムや耐油性ゴム（非粘着性ゴムも含む）であることを特徴とする請求項１記載のポンプの弁装置。
【請求項３】
前記吸入弁ケース及びリテーナは合成樹脂にて製造したことを特徴とする請求項１記載のポンプの弁装置。
【請求項４】
前記吸入弁ケースの反弁シート側に弁シートを形成すると共に、一方が開口の吐出弁ケースを前記吸入弁ケースの反弁シート側に接続し、前記吸入弁ケースで画成の弁室内に吐出側チェック弁を配するようにしたことを特徴とする請求項１記載のポンプの弁装置。
【請求項５】
前記吐出弁ケースは合成樹脂にて製造したことを特徴とする請求項４記載のポンプの弁装置。
【発明の詳細な説明】
【０００１】
【発明の属する技術分野】
この発明は、ポンプにおいて、ピストンと協同してポンプ作用を行う弁装置に関する。
【０００２】
【従来の技術】
従来、電磁ポンプの弁装置は、特開平８−１８９４９１号公報、特開平９−６８１５７号公報に示すようなものが知られている。この例では、吸入弁と吐出弁とは、その弁座を備えた弁ケースと蓋とで一体化された吸入吐出弁ユニットとなっていて、ポンプ本体に形成の孔に挿入されて取付られている。即ち、吸入弁ケースと吐出弁ケースは、古くは銅製で、現在はポリアセタール（ＰＯＭ）にて製造されてなるもので、共に弁座も同じ材質で製造されていた。この弁座に吸入弁と吐出弁は着座され、ポンプ作用を行っていた。
【０００３】
【発明が解決しようとする課題】
吸入弁にあっては、ピストンの上昇によるポンプ室内の圧力が吸入弁の上流側の圧力よりも低下すれば、吸入弁は開かれ、吸入口から流体を吸入し、ピストンの上死点まで吸入動作を行い、ピストンが上死点から下降し始めるとポンプ室内の圧力が高まり、吸入弁は閉じられると共に、吐出弁の下流側の圧力より大きくなれば、流体は吐出弁を開いて吐出する。
【０００４】
その際、前記の吸入弁は、弁座に着座するのに、ピストンの上死点位置からの遅延時間差が生じると共に、閉止加速力が加わり、吸入弁が弁シートに叩き付けられる現象が生じ、それによって、ポンプ作動音が大きくなる欠点を持っていた。また、吸入弁はポンプ中にある金属製の微粉が付きやすく、この微粉にて弁座が傷つき、該欠損弁座から流体の洩れが発生していた。この洩れがあれば、従来例のようなピストンが往復する電磁プランジャーポンプでは、洩れ量に比例してピストンストローク量の増加につながり、これによって、吸入弁の閉止加速力が増加し、結果的に更に作動音（叩き音）を大きくしていた。
【０００５】
そこで、この発明は、吸入弁が弁座に当たって生じる作動音を低下せしめることを目的とすると共に、使い勝手の手の良い弁装置を提供するものである。
【０００６】
【課題を解決するための手段】
この発明に係るポンプの弁装置は、吸入弁ケースに弁シートを介在しながらリテーナを挿入して一体化し、前記弁シートにより画成の弁室内に吸入側チェック弁を配すると共に、前記弁シートをゴム材にて製造したことにある（請求項１）。
【０００７】
このため、吸入側チェック弁の閉止時に、吸入側チェック弁が弁シートに当接しても、該弁シートがゴム材のために閉止加速力が吸収され作動音が低減される。しかも、ゴム材より成る弁シートは吸入弁ケース内に収納され且つ一体化され、使い勝手の良い弁装置を提供するものである。
【０００８】
前記弁シートのゴム材として、フッ素ゴムや耐油性ゴム（非粘着性ゴムも含む）であることにあるし（請求項２）、前記吸入弁ケース及びリテーナは合成樹脂にて製造したことにある（請求項３）。
【０００９】
前記吸入弁ケースは前記吸入弁ケースの反弁シート側に弁シートを形成すると共に、一方が開口の吐出弁ケースを前記吸入弁ケースの反弁シート側に接続し、前記吸入弁ケースで画成の弁室内に吐出側チェック弁を配するようにしたことにある（請求項４）。これによって吸入弁と吐出弁は一つの吸入弁吐出弁ユニットとなり、使い勝手の良い弁装置を提供できる。
【００１０】
前記吐出弁ケースは、合成樹脂にて製造されたことにある（請求項５）。吐出弁は弁座が合成樹脂でも作動音を発生させる原因となることはない。
【００１１】
【発明の実施の形態】
以下、この発明の実施の形態を図面にもとづいて説明する。
【００１２】
図１乃至図３において、まず電磁ポンプ１を説明し、次に本願発明に係る弁装置を説明するものである。電磁ポンプ１は、鉄など磁性材で形成されたケース４内に、断続電流（パルス電流）が印加される電磁コイル２を有する。この電磁コイル２は樹脂製のボビン３に電線が巻回されて形成されるもので、このボビン３の中央を貫通して形成された貫通孔には、金属製で非磁性材のガイドパイプ５が嵌挿されている。
【００１３】
前記ガイドパイプ５の上方には、磁気ロッド８が配され、さらに、このガイドパイプ５の下端は、Ｏリング９を介してポンプ本体１０に嵌挿されている。前記磁気ロッド８は鉄等の磁性材で形成され、この磁気ロッド８の略下半分はＯリング１１を介して前記ガイドパイプ５に嵌挿され、また磁気ロッド８の残りの上半分はＯリング１２を介して下記する吐出継手３２の胴部３４に嵌挿されており、内部には縦方向に孔１３が貫通している。
【００１４】
電磁プランジャ１５は、鉄などの磁性材によって略円筒状に形成されたもので、上部スプリング１６と下部スプリング１７とによって前記ガイドパイプ５内に形成の電磁プランジャ作動室１９内に摺動自在に支持されている。また、この電磁プランジャ作動室１９は、前記電磁プランジャ１５によって上部スプリング室１９ａと下部スプリング室１９ｂとに分けられている。この電磁プランジャ１５には、軸方向に縦孔２０が穿設され、上部スプリング室１９ａと下部スプリング室１９ｂを連通している。また、この電磁プランジャ１５の下部には、ピストン２１が固着されている。
【００１５】
ピストン２１は円筒形状のシリンダ２４内に挿入され、前記電磁プランジャ１５の往復動に伴って往復動される。このシリンダ２４はポンプ本体１０に形成の前記電磁プランジャ作動室と連通する孔２２に挿入され、半径方向に形成のフランジ２５がＯリング２３を介してポンプ本体１０に係合されている。
【００１６】
ポンプ室３０は、前記ピストン２１の先端が一面をなし、該ピストンの往復動で、該室３０内の圧力変化が生じ、下記する吸入側チェック弁５１より上流側の圧力より低くなれば該吸入側チェック弁５１を開いて流体吸い込み、逆に下記する吐出側チェック弁７４より下流側の圧力より高くなれば吐出側チェック弁　　７４を開いて前記したプランジャ作動室１９内に吐出させる。
【００１７】
吐出継手３２は、本体３３とこれに連なる胴部３４を有し、前述の如くこの胴部３４がボビン３内に嵌挿され、さらに磁気ロッド８の上部が嵌挿しているものである。前記胴部３４内には電磁弁収納室３５が形成されており、該電磁弁収納室３５には、電磁弁３６が収納され、スプリング３７で押圧されており、吐出孔３９を閉じ（非通電時）、通電時には、磁気ロッド８側へ引かれて吐出孔３９が開かれる。
【００１８】
この発明に係る弁装置４２は、前記したポンプ本体１０に形成の孔４３内に挿入されて取付られているが、図３に示すようなユニット化されている。この弁装置４２の吸入弁ケース４５は筒状をなし、図３の右側より小径部４６ａ、中径部４６ｂ、大径部４６ｃを持ち、前記中径部４６ｂは、径方向に連通孔４７が形成されると共に、前記大径部４６ｃの右端に係合爪５８が形成され、小径部４６ａの左端に吐出側のチェック弁の弁座５９が形成され、さらに、外周の周方向に環状溝６０と、Ｏリング６１用のＯリング溝６２が形成されている。なお、吸入弁ケース４５の材質はＰＯＭである。
【００１９】
前記した吸入弁ケース４５の大径部４６ｃには、ゴム製の弁シート４８が挿入されると共にリテーナ４９が嵌挿されている。即ち、このリテーナ４９に形成の環状溝６１に前記吸入弁ケース４６の係合爪５８が係合して、前記弁シート４８も固定される。
【００２０】
弁シート４８は、中心に孔４８ａを持つ円筒状の部材で、フッ素ゴム、耐油性ゴム（非粘着性ゴムを含む）にて製造されたゴムシートである。リテーナ４９は、中心に孔４９ａを持つ円筒状の部材で、外周に環状溝６４とＯリング６５用のＯリング溝６６を有している。前記孔４９ａは、吸入孔５０と連通している。なお、リテーナの材質は、ＰＯＭである。
【００２１】
吸入側チェック弁５１は、弁シート４８で画成される吸入側チェック弁収納室５２内に収納され、スプリング５３にて押圧され、前記弁シート４８に着座されている。なお、吸入側チェック弁収納室５２は前記したポンプ室３０と連通孔４７を介して連通している。
【００２２】
吐出弁ケース６８は、筒状をなし、図３に示すように右側が開口され、右端に係合爪７０を有すると共に径方向に連通孔６９が形成され、さらに左端の外周にＯリング７１のＯリング溝７２を有し、この吐出弁ケース６８の開口側は前記した吸入弁ケース４５の左端に嵌合され、係合爪７０が環状溝６０に係合している。
【００２３】
吐出側チェック弁７４は、吸入弁ケース４５で画成される吐出側チェック弁収納室７６内に収納され、スプリング７７にて前記弁シート５９に着座されている。なお、吐出側チェック弁収納室７６は連通孔６９を介して下記する圧力調整装置８０と連通している。
【００２４】
圧力調整装置８０は、前記吐出側チェック弁７４よりプランジャ作動室１９に至る通路８１に設けられ、弁８２と絞り孔８３と吐出圧力を受ける受圧プランジャ８４とで構成され、受圧プランジャ８４の変位にて弁８２を動かし、流路面積を適宜に絞り、流れる流体の流量から所定の圧力を制御しているものである。
【００２５】
以上のような電磁ポンプ１は、所定のパルス数（５０〜６０回）を持つパルス電流が印加され、電磁コイル２が励時されると、磁気ロッド８に電磁プランジャ１５が上部スプリングに抗して吸引され、該上部スプリング１６に反発エネルギーが貯められる。そして、電磁コイル２が消磁されると、吸磁力が消滅して上部スプリング１６の反発エネルギーにて下方へ戻される。このような繰り返しにより電磁プランジャ１５は往復動されることになる。
【００２６】
この電磁プランジャ１５の往復動は、ピストン２１に伝えられ、ピストン２１と吸入側チェック弁５１と吐出側チェック弁７４とによりポンプ作用を行う。即ち、ピストン２１の上昇時に、ポンプ室３０の容積が増加方向となり、該ポンプ室３０の圧力が吸入孔５０内の圧力よりも低くなって、吸入側チェック弁５１を開けて流体を吸込み、上死点に達するとポンプ室の容積の増大がとまり、流体の吸入を止め、ピストン２１の下降時に至ると、ポンプ室の容積が減少方向となり、該ポンプ室３０の圧力が吐出側チェック弁７４よりも後流側の圧力より高くなって、吐出側チェック弁７４を開いて流体を吐出させるものである。ただピストン２１が下降行程に入っても、吸入側チェック弁５１がただちに弁シート４８に着座するものではなく、遅延時間を持つと同時に閉止加速力が増加することになって吸入側チェック弁５１は弁シート４８に叩き付けられる。
【００２７】
しかし、弁シート４８はゴム材で製造されているので、柔らかであるから閉止加速力を吸収し、音の発生が抑えられ、従来例に比して叩き音を低減させることができる。
【００２８】
【発明の効果】
以上のように、この発明によれば、吸入側チェック弁の弁シートをゴム材で製造したので、着座時に叩き音の発生を抑えることができる。また、弁シートが吸入弁ケース内にリテーナを介して収納され且つ一体化され、使い勝手の良い弁装置を提供できるものである。
【００２９】
吸入弁ケースに吐出弁ケースを接続して一つの弁装置としたことで、ポンプ本体に組付時も一つの部品として持ち用いることができ、使い勝手の良い弁装置を提供できるものである（請求項４）。
【図面の簡単な説明】
【図１】この発明が用いられる電磁ポンプの縦断面図である。
【図２】同上のポンプ本体部分の横断面図である。
【図３】弁装置の拡大断面図である。
【符号の説明】
１　電磁ポンプ
２　電磁コイル
８　電磁プランジャ
１０　ポンプ本体
２１　ピストン
３０　ポンプ室
４２　弁装置
４５　吸入弁ケース
４８　弁シート
４９　リテーナ
５１　吸入側チェック弁
６８　吐出弁ケース
７４　吐出側チェック弁
８０　圧力調整装置
【図１】
2004052731.tif 000003
【図２】
2004052731.tif 000004
【図３】
2004052731.tif 000005